(57)【要約】【課題】鍵を紛失した場合でもドアを施錠・解錠でき、かつ部品点数が少なくドアへの取り付けを容易に行わせる。【解決手段】ドア３の施錠・解錠を電気的な動作により行うための施解錠駆動部７と、指紋データを入力し、予め登録した登録指紋データとの照合により本人認証ができたときに前記施解錠駆動部７の電気的な動作を可能とする指紋入力報照合部９と、前記ドア３に取り付けられたキーシリンダ２５と、このキーシリンダ２５と前記施解錠駆動部７とを連結するロッド３５とを備え、前記キーシリンダ２５の鍵３１による操作で前記施解錠駆動部７を手動操作可能としたことを特徴とする。【選択図】　　　図２
2004076277.tif 000002
【特許請求の範囲】
【請求項１】
ドアの施錠・解錠を電気的な動作により行うための施解錠駆動部と、生体情報を入力し予め登録した登録生体情報との照合により本人認証ができたときに前記施解錠駆動部の電気的な動作を可能とする生体情報照合部と、前記ドアに取り付けられたキーシリンダと、このキーシリンダと前記施解錠駆動部とを連結する連動部材とを備え、前記キーシリンダの鍵による操作で前記施解錠駆動部を手動操作可能としたことを特徴とする施錠装置。
【請求項２】
請求項１記載の施錠装置であって、
前記ドアを開閉操作するレバーを備え、
前記施解錠駆動部を前記レバーの回動軸部に対向配置し、
前記レバーの回動軸部を貫通して前記キーシリンダを収容する収容孔を設け、
前記連動部材を前記キーシリンダから突設し、
前記キーシリンダを前記収容孔に収容してドア側に固定したとき前記連動部材の先端が前記施解錠駆動部に連結されることを特徴とする施錠装置。
【請求項３】
請求項１または２記載の施錠装置であって、
前記キーシリンダの手動操作を検出する検出手段と、
前記検出手段が前記キーシリンダの手動操作を検出したときに警報を発する警報手段とを備えたことを特徴とする施錠装置。
【請求項４】
請求項３記載の施錠装置であって、
前記警報手段に給電する警報電源回路に、前記検出手段を構成し前記検出時に閉じられる検出スイッチと前記警報手段とを接続し、
該警報電源回路に常閉の切断スイッチを設け、
前記生体情報照合部で本人認証ができたとき前記切断スイッチを切断動作させることを特徴とする施錠装置。
【請求項５】
請求項４記載の施錠装置であって、
前記警報電源回路に前記生体情報照合部を接続したことを特徴とする施錠装置。
【発明の詳細な説明】
【０００１】
【発明の属する技術分野】
本発明は、鍵などによる機械的な操作と指紋などの生体情報の照合による電気的な動作により施錠・解錠を可能とする施錠装置に関する。
【０００２】
【従来の技術】
従来の施錠装置としては、例えば、特開２００２−７０３８２号公報に記載された図８に示すようなものがある。図８はドア１０１を外側から見た従来の施錠装置の要部正面図である。
【０００３】
前記施錠装置は、それぞれ独立した施錠・解錠するための施錠機構を有する電子ロック１０１とシリンダロック１０２とを備えている。電子ロック１０１は、ドア１０３に取り付けられたハウジング１０５を備え、ハウジング１０５内に指紋入力部が設けられている。指紋入力部は、リッド１０７で開閉可能なハウジング１０５の収容部１０９内に配置されている。この電子ロック１０１は、電池あるいはＤＣ電源などから必要な電力が供給されるようになっている。
【０００４】
そして、電子ロック１０１では、リッド１０７を開けて指紋入力部に指を乗せ指紋データを読み取らせてその入力を行う。入力された指紋データは指紋照合部で予め登録された登録指紋データと照合され、該照合により本人認証ができたときに電気的な動作によりドア１０３の解錠を可能とする。
【０００５】
一方、シリンダロック１０２は、ドア１０３に取り付けられたキーシリンダ１１１を備え、そのキーシリンダ１１１に差し込まれた鍵の操作により機械的な手動操作によりドア１０３の解錠を可能とするものである。
【０００６】
このような施錠装置では、電子ロック１０１とシリンダロック１０２との双方が設けられているため、通常は電子ロック１０１を用いることにより、ドア１０３の解錠を容易に行うことができる。また、電子ロック１０１を意識的に使用しない場合、電力の供給が遮断された場合、指紋入力部や指紋照合部などが故障した場合などには、シリンダロック１０２を用いることによりドア１０３を施錠・解錠することができる。すなわち、上記従来の装置では、鍵を用いた通常の開閉と鍵を用いない簡易な開閉との双方を任意に選択することができる。
【０００７】
【発明が解決しようとする課題】
しかしながら、上記施錠装置では、鍵を用いてシリンダロック１０２により施錠した後、鍵を紛失してしまうと電子ロック１０１を操作してもドア１０３を開くことができなくなるという問題があった。
【０００８】
また、施錠装置では、電子ロック１０１とシリンダロック１０２とがそれぞれ独立しているため、ロック機構が別々に必要となり、部品点数が多くドア１０３への取り付けも煩雑となっている。
【０００９】
そこで、本発明は、鍵を紛失した場合でもドアを施錠・解錠することができ、かつ部品点数が少なくドアへの取り付けを容易に行うことができる施錠装置の提供を目的とする。
【００１０】
【課題を解決するための手段】
上記目的を達成するために請求項１記載の発明は、ドアの施錠・解錠を電気的な動作により行うための施解錠駆動部と、生体情報を入力し予め登録した登録生体情報との照合により本人認証ができたときに前記施解錠駆動部の電気的な動作を可能とする生体情報照合部と、前記ドアに取り付けられたキーシリンダと、このキーシリンダと前記施解錠駆動部とを連結する連動部材とを備え、前記キーシリンダの鍵による操作で前記施解錠駆動部を手動操作可能としたことを特徴とする。
【００１１】
請求項２記載の発明は、請求項１記載の施錠装置であって、前記ドアを開閉操作するレバーを備え、前記施解錠駆動部を前記レバーの回動軸部に対向配置し、前記レバーの回動軸部を貫通して前記キーシリンダを収容する収容孔を設け、前記連動部材を前記キーシリンダから突設し、前記キーシリンダを前記収容孔に収容してドア側に固定したとき前記連動部材の先端が前記施解錠駆動部に連結されることを特徴とする。
【００１２】
請求項３記載の発明は、請求項１または２記載の施錠装置であって、前記キーシリンダの手動操作を検出する検出手段と、前記検出手段が前記キーシリンダの手動操作を検出したときに警報を発する警報手段とを備えたことを特徴とする。
【００１３】
請求項４記載の発明は、請求項３記載の施錠装置であって、前記警報手段に給電する警報電源回路に、前記検出手段を構成し前記検出時に閉じられる検出スイッチと前記警報手段とを接続し、該警報電源回路に常閉の切断スイッチを設け、前記生体情報照合部で本人認証ができたとき前記切断スイッチを切断動作させることを特徴とする。
【００１４】
請求項５記載の発明は、請求項４記載の発明の効果に加え、前記警報電源回路に前記生体情報照合部を接続したことを特徴とする。
【００１５】
【発明の効果】
請求項１記載の発明によれば、生体情報照合部に生体情報を登録された人がその生体情報照合部に生体情報を入力すると、入力生体情報が生体情報照合部で予め登録した登録生体情報と照合され、本人認証ができたときに施解錠駆動部を電気的に動作させてドアの施錠・解錠を行うことができる。また、鍵穴から鍵をキーシリンダ内に差し込んでその鍵を操作して連動部材を連動させると、鍵の操作に連動した連動部材により施解錠駆動部を機械的に手動操作し、ドアの解錠または施錠を行うことができる。
【００１６】
従って、鍵を用いた通常のドアの施錠・解錠と鍵を用いない簡易なドアの施錠・解錠との双方を任意に選択することができ、しかも鍵を紛失した場合でもドアを施錠・解錠することができる。
【００１７】
また、請求項１記載の発明によれば、前記電気的に動作される施解錠駆動部に連動部材を介してキーシリンダを連結し、そのキーシリンダから鍵による操作で施解錠駆動部を手動操作してドアを機械的に施錠・解錠することができるように構成したため、ロック機構が単一となり部品点数が少なく構造を簡単にすることができ、ドアへの取り付けを容易に行うことができる。
【００１８】
請求項２記載の発明によれば、請求項１記載の発明の効果に加え、ドアを開閉操作するレバーの回動軸部を貫通し前記キーシリンダを収容する収容孔を設け、レバーの回動軸部に施解錠駆動部を対向配置し、キーシリンダが収容孔に収容してドア側に固定されたときそのキーシリンダから突設された連動部の先端を施解錠駆動部に連結させることができる。このため、キーシリンダを収容孔に収容してドア側に固定するだけで、電気的に動作される施解錠駆動部を手動操作可能とすることができ、組み付けを容易に行うことができる。
【００１９】
請求項３記載の発明によれば、請求項１または２記載の発明の効果に加え、キーシリンダが手動操作されると、その手動操作を検出手段が検出して警報手段により警報を発することができる。このため、いわゆるピッキングなどのようにドアを不正に解錠するためにキーシリンダを手動操作しようとした第三者を警報により威嚇し、ドアが不正に解錠されるのを未然に防止することができる。
【００２０】
請求項４記載の発明によれば、請求項３記載の発明の効果に加え、キーシリンダが手動操作されると、その手動操作により検出スイッチが閉じられて警報電源回路により警報手段に電力が供給され、これにより警報手段から警報を発することができる。そして、生体情報照合部に生体情報情報を入力して入力生体情報と登録生体情報とが照合されて本人認証が行われたときに、切断スイッチが切断動作されて警報手段を止めることができる。
【００２１】
このため、生体情報を予め登録された人は警報が発せられても生体情報の照合によりその警報を直ちに止めることができる。この結果、第三者が付勢に解錠するのを警報によって未然に防止できながら、本人の場合は、警報停止状態で容易に解錠することができる。
【００２２】
請求項５記載の発明によれば、請求項４記載の発明の効果に加え、生体情報照合部が警報電源回路に接続され、検出スイッチがＯＮすると警報電源回路によりせいた情報照合部に電力を供給することができる。このため、施解錠駆動部の電気的な駆動ができないときでも、警報を止め、あるいは警報させないようにするために生体情報照合部を確実に利用することができる。
【００２３】
【発明の実施の形態】
以下、本発明に係る施錠装置を図面に示す実施形態に基づいて説明する。
（第１実施形態）
図１は本発明に係る第１実施形態の施錠装置を設けたドアの要部を示す斜視図、図２は図１に示す施錠装置の要部分解斜視図、図３（ａ）は図１に示す施錠装置に設けられている指紋照合ユニットの指挿入前の要部断面図、図３（ｂ）は指紋照合ユニットの指挿入後の要部断面図である。
【００２４】
本実施形態の施錠装置１は、鍵を用いた通常の開閉と鍵を用いない簡易な開閉との双方を任意に選択することができるものである。この施錠装置１は、図１〜図３に示すように、ドア３の外側面に室外側ユニット５が取り付けられ、ドア３内部にそのドア３を施錠・解錠するための施解錠駆動部７が取り付けられている。前記施錠装置１は、生体情報照合部としての指紋入力照合部９を備えており、その指紋入力照合部９に指を押し当てることにより生体情報としての指紋データを入力され、該指紋データと予め登録した登録指紋データとを指紋入力照合部９で照合して本人認証を行う。そして、本人認証ができたときに指紋入力照合部９から認証信号を出力して前記施解錠駆動部７を電気的に動作させ、ドア３の施錠・解錠を可能とする。
【００２５】
また、本実施形態の施錠装置１では、ドア１０３に取り付けられたキーシリンダ２５と、このキーシリンダ２５と施解錠駆動部７とを連結するロッド３５とを備え、キーシリンダ２５の鍵３１による操作で施解錠駆動部７を手動操作してドア３の施錠・解錠を可能とする。
【００２６】
なお、本実施形態においては、生体情報として指紋データを用いているが、例えば、目の虹彩の情報や手の甲の静脈の情報などを用いてそれらの情報を照合する生体情報照合部を構成してもよい。
【００２７】
前記室外側ユニット５は、図１に示すように、ドア３に固定されたハウジング１１に、前記指紋入力照合部９を格納する指紋照合ユニット１０、ドア１０３を開閉操作するレバー１９の他、各種機能を表示するＬＣＤパネル１３、暗証番号入力などを行うための登録ボタン１５、各種設定を行うための設定ボタン１７が設けられている。
【００２８】
図３のように、前記指紋照合ユニット１０のハウジング１１には収容部１２が設けられている。収容部１２は、ハウジング１１に設けられた開口１２ａから指を挿入する形状に形成されている。収容部１２内には、底部側に前記指紋入力照合部９が設けられている。すなわち指紋入力照合部９は、指ｆの挿入方向（図３左右方向）に対し交差する方向に位置するように、前記収容部１２内に収容されている。
【００２９】
前記収容部１２の開口１２ａには、該収容部１２を開閉する開閉体１４が設けられている。開口１２ａおよび開閉体１４は、正面から見て矩形に形成され、開閉体１４の閉塞位置で開閉体１４が開口１２ａに丁度嵌合する状態となっている。
【００３０】
開閉体１４の上端部１４ａは、例えば鉤状に形成され、一体に設けられた軸部１４ｂでハウジング１１側に回転自在に支持されている。軸部１４ｂの周りには、トルクスプリング１６が取り付けられ、一方のアーム１６ａがハウジング１１側に、他方のアーム１１ｂが開閉体１４側に係合している。従って、開閉体１４は、トルクスプリング１６によって開口１２ａを開閉する位置へ付勢され、トルクスプリング１６は付勢部材を構成している。なお、付勢部材としては、トルクスプリング１６に限らず、種々のものを用いることができる。
【００３１】
前記開閉体１４の閉塞位置で、上端部１４ａは開口１２ａの上端部に当接して位置決められている。
【００３２】
前記開閉体１４は、導電性材料で形成されている。導電性材料としては、金属、あるいはカーボン繊維を混入したプラスチック、導電性プラスチックなどを用いることができる。
【００３３】
そして、この開閉体１４に、電源回路のスイッチを連動構成し、開閉体１４の開閉により前記電源回路がＯＮ・ＯＦＦするように回路構成されている。また、開閉体１４は接地Ｇされている。
【００３４】
図４は、施錠装置１の回路構成を示している。施錠装置１には例えば電源として電池１８が備えられている。ただし電源としてはＤＣ電源などを用いることも可能である。前記電源回路は、その電池１８、前記施解錠駆動部７、前記指紋入力照合部９、スイッチ２０が直列接続されて回路構成され、そのスイッチ２０でＯＮ・ＯＦＦできるようになっている。
【００３５】
すなわち、施錠装置１では、指ｆを収容部１２の開口１２ａ内に挿入すると、開閉体１４がトルクスプリング１６の付勢力に抗して図３（ｂ）のように軸部１４ｂを中心に回転する。この回転によって、図４で示すスイッチ２０が連動し、施錠装置１の電源回路が閉じられ、施解錠駆動部７や指紋入力照合部９などに電力供給が行われるようになっている。
【００３６】
前記キーシリンダ２５などの取付は、図１，図２に示すようになっている。前記レバー１９は、長尺に形成された把持部２１の一端の裏面に、ハウジング１１に取り付けられる長尺円筒状の取付部２３が突設されている。このレバー１９は、取付部２３がハウジング１１に回動可能に取り付けられ、該取付部２３が回動軸部として機能する。前記レバー１９の把持部２１を回動操作すると、ドア３のラッチが連動し該ドア３を開くことができる。
【００３７】
前記レバー１９の把持部２１には、表面から裏面まで貫通し取付部２３の中空内部２３ａに連通する開口２１ａが設けられている。この開口２１ａは、取付部２３の中空内部２３ａと共に、回動軸部を貫通し後述するキーシリンダ２５を収容する収容孔を構成しており、カバー２７が着脱自在に嵌合される。カバー２７は、後述するキーシリンダ２５の長手方向一方の端面を覆うものであり、開口２１ａと略同一形状に、かつ素材感や色などが把持部２１の素材感や色などと略同様に形成されている。また、カバー２７は、開口２１ａに嵌合された状態で表面がレバー１９の把持部２１の表面と略面一となる。
【００３８】
前記キーシリンダ２５は、取付部２３の中空内部２３ａと略同一形状の長尺円柱状に形成され、取付部２３の中空内部２３ａに把持部２１の開口２１ａ側から長手方向に沿って挿入、収容される。キーシリンダ２５の固定は、例えば、前記取付部２３の先端外でハウジング１１あるいはドア３に対して行われている。
【００３９】
前記キーシリンダ２５は、図２に示すように、レバー１９の開口２１ａに面する長手方向一方の端面中心に単純形状、例えば、円形形状の開口２５ｂを有している。開口２５ｂの奥には、キーシリンダ２５の鍵穴部が設けられている。そいｓて、キーシリンダ２５は、開口２５ｂから差し込まれた図５に示す鍵３１により鍵穴部が操作されるようになっている。
【００４０】
すなわち、本実施形態においては、鍵３１が外周面に複数の凹部３３ａが設けられた円柱状の差し込み部３３を備え、前記キーシリンダ２５の鍵穴部が複数のピンを備えている。そして、開口２５ｂから鍵３１の差し込み部３３が内部に挿入されて凹部３３ａがキーシリンダ２５の鍵穴部に至ると、前記鍵穴部のピンが差し込み部３３の凹部３３ａに係合する。この状態で鍵３１を周方向に回転されることにより前記キーシリンダ２５が操作される。
【００４１】
一方、キーシリンダ２５の長手方向他方の端面には、図２に示すように、その中心から連動部材としてのロッド３５がキーシリンダ２５の長手方向に沿って突設されている。ロッド３５は、長尺棒状に形成され、基端側がキーシリンダ２５内で鍵穴部に連結されている。これにより、ロッド３５は、前記鍵３１による鍵穴部の操作に連動して軸周りに回転するようになっている。このロッド３５は、先端が施解錠駆動部７に連結されて後述するように施解錠駆動部７を機械的に手動操作可能とする。
【００４２】
前記施解錠駆動部７は、レバー１９裏側で取付部２３に対向配置され、収容孔である前記中空内部２３ａおよび開口２１ａの長手方向の延長線上に配置されている。この施解錠駆動部７は、内部に施錠機構およびその施錠機構を駆動するモータを有し、端面に施錠機構により突出・収容される施錠片７ａを有している。そして、施解錠駆動部７は、電気的に動作されて、つまり指紋入力照合部９から出力された認証信号に基づいてモータが駆動され、その駆動したモータにより施錠機構を駆動されて施錠片７ａが突出・収容され、ドア３の施錠・解錠が可能となっている。
【００４３】
また、施解錠駆動部７は、ドア３の外面側に配置されている側面に円形の開口７ｂが設けられている。そして、施解錠駆動部７は、前記ロッド３５の先端が開口７ｂを介して内部へ挿入され、そのロッド３５の先端が内部の施錠機構に連結される。これにより、施解錠駆動部７は、機械的に手動操作される構成となっている。つまり、施解錠駆動部７は、前記鍵３１の操作に連動したロッド３５により施錠機構を駆動すると施錠片７ａが出没し、ドア３の施錠・解錠が可能となっている。
【００４４】
このような本実施形態の施錠装置１では、指紋入力照合部９に指紋データが登録された人が操作する場合、指紋入力照合部９に指を押し当てて指紋データを入力する。すると、入力指紋データが指紋入力照合部９で予め登録した登録指紋データと照合され、本人認証ができたときに施解錠駆動部７内のモータが駆動されて施錠機構が駆動され、施解錠駆動部７を電気に動作させてドア３の施錠・解錠が行われる。
【００４５】
また、施錠装置１では、施解錠駆動部７を機械的に手動操作してドア３の施錠・解錠を行うことができる。すなわち、施錠装置１では、まずカバー２７をレバー１９の開口２１ａから取り外し露出した開口２５ｂから鍵３１をキーシリンダ２５内に差し込み、次いで鍵３１を周方向に回転させることによりキーシリンダ２５内の鍵穴部を操作してロッド３５を連動させる。すると、鍵３１の操作に連動したロッド３５により施解錠駆動部７内の施錠機構が駆動され、ドア３の施錠・解錠が行われる。
【００４６】
従って、本実施形態の施錠装置１では、指紋データの照合により施解錠駆動部７を電気的に動作させてドア３の施錠・解錠することができると共に、前記電気的に動作される施解錠駆動部７を機械的に手動操作してドア３を施錠・解錠することができる。これにより、鍵３１を用いた通常のドア３の施錠・解錠と鍵３１を用いない簡易なドア３の施錠・解錠との双方を任意に選択することができ、しかも鍵３１を紛失した場合でも指紋認証に基づいた施解錠駆動部７の電気的な駆動によりドア３を施錠・解錠することができる。
【００４７】
前記施錠装置１では、前記電気的に動作される施解錠駆動部７にロッド３５を介してキーシリンダ２５を連結し、そのキーシリンダ２５から鍵３１により施解錠駆動部７を機械的に手動操作してドア３を施錠・解錠することができるように構成したため、従来のように電子ロックとシリンダロックとを別体に設けたものに比較して、ロック機構が単一となり構造を簡単にすることができ、ドア３への取り付けも容易に行うことができる。
【００４８】
前記施錠装置１では、レバー１９の把持部２１に設けられた開口２１ａと取付部２３の中空内部２３ａとでキーシリンダ２５を収容する収容孔を形成し、その裏側に取り付け部２３に対向させて施解錠駆動部７を配置し、キーシリンダ２５が前記開口２１ａから挿入されて前記中空内部２３ａに収容された状態でロッド３５の先端が施解錠駆動部７に連結される。このため、本実施形態の施錠装置１では、キーシリンダ２５を前記開口２１ａから前記中空内部２３ａに挿入して収容してハウジング１１などに固定することにより、電気的に動作される施解錠駆動部７を鍵３１により手動操作可能とすることができ、組み付けを容易に行うことができる。
【００４９】
本実施形態の施錠装置１では、キーシリンダ２５がレバー１９の取付部２３の中空内部２３ａに収容されてそのレバー１９内に配置されているため、コンパクトな構造とすることができる。
【００５０】
前記キーシリンダ２５は、前記中空内部２３ａに収容された状態で、前記レバー１９の開口２１ａに嵌合されたカバー２７により覆われているため、第三者によりドア３が不正に解錠されるのを、より確実に未然に防止することができ、さらに意匠感を損ねるようなことをも防止できる。ただし、カバー２７を常時取り外し、キーシリンダ２５による施解錠を常用することもできる。
【００５１】
本実施形態の施錠装置１では、キーシリンダ２５の鍵穴部が円形形状の開口２５ｂの奥に配置されている。このため、通常、指紋データを登録していない第三者からは鍵穴部を確認することができず、第三者によりドア３が不正に解錠されるのを、より確実に未然に防止することができる。
（第２実施形態）
図６，図７は、本は詰めに第２実施形態に係り、図６は回路構成図、図７はシリンダの要部断面図を示している。なお、上記第１実施形態と同一構成部分には同一符号付し、重複した説明を省略する。
【００５２】
本実施形態の施錠装置は、施解錠駆動部７を手動操作する際に開口２５ａに鍵３１や異物が挿入されると、電力を供給された警報手段としてのブザー３４から警報音を発生させるものである。この施錠装置では、図６に示すように、上記第１実施形態の電源回路の指紋入力照合部９に警報電源回路としてのブザー電源回路が接続されて回路構成されている。
【００５３】
前記ブザー電源回路は、ブザー３４と検出手段としての検出スイッチ３６とブザー電源としての予備電池３８と切断スイッチとしてのリレー４０が直列接続されて回路構成され、検出スイッチ３６によりＯＮ・ＯＦＦすることができる。そして、ブザー電源回路は、検出スイッチ３６と電池３８との間でブザー３４が指紋入力照合部９と並列に接続されている。なお、前記ブザー電源は、前記ロック電源回路の電池１８とは別に設けられているが、その電池１８により構成してもよい。また、ブザー電源としては、電池３８ではなくＤＣ電源などを用いることもできる。
【００５４】
従って、施錠装置１では、検出スイッチ３６が閉じられたＯＮにより電池３８からブザー３４に電力が供給されると共に、指紋入力照合部９に電池３８から電力を供給されるようになっている。この結果、指紋有力照合部９は、故障などにより前記ロック電源回路が使用できない場合であっても、電力が供給されることとなる。
【００５５】
前記検出スイッチ３６は、常開の棒状の可動接点３６ａが固定接点３６ｂに接触することによりＯＮとなるもので、図８に示すように、キーシリンダ２５の開口２５ｂ内に配置されている。可動接点３６ａは、開口２５ｂの内周面に一端が軸支され、挿入方向（図７矢印方向）に傾斜配置されている。この可動接点３６ａは、通常はトルクスプリングなどの付勢部材により付勢されて他端側が開口２５ｂ内に突出しており、その他端が一端を支点として回動可能となっている。前記固定接点３６ｂは、開口２５ｂの内周面に固定されている。この検出スイッチ３６は、開口２５ｂに鍵３１や異物が挿入されると、該異物などにより可動接点３６ａが押されて回動し固定接点３６ｂに接触する。
【００５６】
前記リレー４０は、常閉の可動接点を内部に有し、指紋入力照合部７に入力された入力指紋データと予め登録されている指紋データとの照合により本人認証ができたときに可動接点の切断動作が所定時間なされるようになっている。すなわち、リレー４０は、開口２５ｂに鍵３１や異物が挿入されてブザー３４が鳴った場合、指紋データによる本人認証が行われたときに切断動作され、ブザー３４への電力供給を遮断してそのブザー３４を止めるものである。
【００５７】
なお、鍵３１や異物が挿入されて検出スイッチ３６が接触した後、５秒程度経過してからブザー３４が鳴るようにタイマを設けることもできる。この場合は、指紋データを登録した人はブザー３４を鳴らさずにリレー４０の接点を切断することができる。
【００５８】
このような本実施形態の施錠装置では、指紋入力照合部９に指紋データが登録された人が操作する場合、通常、指紋入力照合部９による指紋データの照合を行うことで施解錠駆動部７が電気に動作されてドア３の施錠・解錠を行うことができる。
【００５９】
また、施解錠駆動部７の故障など該施解錠駆動部７を電気的に動作させることができないときには、鍵３１によりキーシリンダ２５を操作し施解錠駆動部７を手動操作してドア３の施錠・解錠を行うことができる。
【００６０】
このとき、キーシリンダ２５の開口２５ｂから鍵３１が挿入されて検出スイッチ３６に至ると、該鍵３１により検出スイッチ３６の可動接点３６ａの他端側が押されて回動し固定接点３６ｂに接触する。これにより、検出スイッチ３６がＯＮとなって鍵３１が異物として検出され、ブザー３４に電力が供給され該ブザー３４から音が発せられる。また、指紋入力照合部９がブザー電源回路に接続されているので、検出スイッチ３６がＯＮされるとブザー電源回路により指紋入力照合部９に電力が供給され、指紋入力照合部９が使用可能状態となる。
【００６１】
そこで、指紋入力照合部９に指紋データが登録された人は、指紋入力照合部９による指紋データの照合を行ってブザー３４を停止させる。すなわち、指紋入力照合部９に指紋データを入力して入力指紋データと登録指紋データとが照合されて本人認証が行われると、リレー４０が切断動作されてブザー３４が電力の供給遮断により停止される。
【００６２】
なお、施解錠駆動部７は故障で動かないが指紋入力照合部９への電力の供給をロック電源回路で行うことができる場合などでは、指紋入力照合部９に指紋データが登録された人は、鍵３１によりキーシリンダ２５を操作する前に予め指紋入力照合部９による指紋データの照合を行うことで、ブザー３４が作動するのを防止することができる。
【００６３】
この状態で、鍵３１によるシリンダ２５の操作を行い、施解錠駆動部７を手動操作してドア３の施錠・解錠を行うこととなる。
【００６４】
従って、本実施形態の施錠装置では、キーシリンダ２５を操作し施解錠駆動部７を手動操作してドア３の施錠・解錠を行うとき、指紋データを予め登録した人は、指紋データの照合により、ブザー３４が作動してもそのブザー３４を直ちに止めることができ、あるいはブザー３４を作動させるのを防止することができ、該ブザー３４の停止状態でドア３の解錠・施錠を容易に行うことができる。
【００６５】
また、本実施形態の施錠装置では、第三者がいわゆるピッキングなどのようにキーシリンダ２５を操作してドア３を不正に解錠しようとした場合、キーシリンダ２５の開口２５ｂから挿入された異物を検出スイッチ３６により検出し、ブザー３４から警報音を発する。このため、ドア３を不正に解錠しようとした第三者をブザー３４により威嚇することができ、第三者によりドア３が不正に解錠されるのを未然に防止することができる。
【００６６】
従って、第三者が不正にドア３を解錠するのをブザー３４によって未然に防止することができながら、本人の場合にはブザー３４の停止状態で容易に解錠することができる。
【００６７】
さらに、前記施錠装置では、指紋入力照合部９がブザー電源回路に接続され、検出スイッチ３６がＯＮされるとブザー電源回路により指紋入力照合部９に電力を供給することができる。このため、施解錠駆動部７の電気的な動作ができないときでも、ブザー３４を止める、あるいはブザー３４を作動させないようにするために指紋入力照合部９を確実に利用することができる。
【００６８】
以上、本発明の一実施形態について説明したが、本発明はこれに限定されるものではなく、構成の要素に付随する各種の設計変更が可能である。例えば、上記実施形態では、ロッド３５がキーシリンダ２５から突設されていたが、施解錠駆動部７から突設させてもよい。
【００６９】
また、レバー１９は、一端を支点に他端が回動するように構成されていたが、ドア３をいわゆる引き戸などのようにスライド式のもので構成した場合、回動しないようにすることもできる。
【図面の簡単な説明】
【図１】図１は本発明に係る第１実施形態の施錠装置を設けたドアの要部を示す斜視図である。
【図２】図２は図１に示す施錠装置の要部分解斜視図である。
【図３】図３は図１に示す施錠装置に設けられている指紋照合ユニットを示し、（ａ）は指挿入前の要部断面図、（ｂ）は指挿入後の要部断面図である。
【図４】図４は図１に示す施錠装置に用いられている回路構成図である。
【図５】図５は図２に示すキーシリンダの鍵を示す斜視図である。
【図６】図６は本発明の施錠装置の第２実施形態に係る回路構成図である。
【図７】図７は、本発明の施錠装置の第２実施形態に係り、シリンダの要部断面図を示している。
【図８】図８は従来の施錠装置の概略構成を示す正面図である。
【符号の説明】
１　施錠装置
３　ドア
７　施解錠駆動部
９　指紋入力照合部（生体情報照合部）
１９　レバー
２１ａ　開口（収容孔）
２３ａ　中空内部（収容孔）
２５　キーシリンダ
２５ｂ　鍵穴
２７　カバー（カバー部材）
３１　鍵
３４　ブザー（警報手段）
３６　検出スイッチ
３５　ロッド（連動部材）
４０　リレー（切断スイッチ）
【図１】
2004076277.tif 000003
【図２】
2004076277.tif 000004
【図３】
2004076277.tif 000005
【図４】
2004076277.tif 000006
【図５】
2004076277.tif 000007
【図６】
2004076277.tif 000008
【図７】
2004076277.tif 000009
【図８】
2004076277.tif 000010